(57)【要約】【課題】全体のスループットを向上させ、または無駄な再送を削減すること。【解決手段】移動局１０１と移動通信システム、例えば無線制御装置１００との間で無線ベアラが確立されると(Ｓ４０１)、予め用意された複数のTCP RWINから、無線ベアラの種類またはトランスポートチャネルの種別に応じて適切なTCP RWINを選択して、移動局１０１に設定する（Ｓ４０２）。その後、移動局１０１と移動通信システムとの間で無線ベアラの変更があると（Ｓ４０３）、さらに無線ベアラの種類またはトランスポートチャネルの種別に応じて適切なTCP RWINを選択して、移動局１０１に設定する（Ｓ４０４）。【選択図】図４
2008289080.tif 000002
【特許請求の範囲】
【請求項１】
受信したデータを格納する受信バッファと、
サーバと無線通信によりデータの送受信を行う送受信手段と、
使用する無線通信経路に基づいて、前記サーバから送信確認をせずに送信することができるデータ量である受信ウィンドウサイズを、前記受信バッファのバッファサイズを超えない範囲で変更するウィンドウ変更手段と、
前記変更された受信ウィンドウサイズを前記サーバに通知する変更結果通知手段と
を備えたことを特徴とする端末装置。
【請求項２】
前記受信ウィンドウサイズは、前記無線通信経路の種別ごとに予め定められており、前記ウィンドウ変更手段は、前記無線通信経路に基づいて、前記予め定められた受信ウィンドウサイズを選択して変更することを特徴とする請求項１に記載の端末装置。
【請求項３】
前記無線通信経路の種別は、無線ベアラ種別またはトランスポートチャネルのフォーマット種別であることを特徴とする請求項２に記載の端末装置。
【請求項４】
前記無線通信経路の状態を取得する通信状態取得手段をさらに備え、前記ウィンドウ変更手段は、前記無線通信経路に基づいて、前記取得した無線通信経路の状態により受信ウィンドウサイズを選択して変更することを特徴とする請求項１に記載の端末装置。
【請求項５】
前記無線通信経路の状態は、通信速度、メディアアクセス制御の伝送帯域幅、無線リンク制御の伝送帯域幅、受信信号強度、希望波受信強度、および希望波受信強度比のいずれかであることを特徴とする請求項４に記載の端末装置。
【請求項６】
サーバから受信したデータを無線通信により端末装置に該端末装置の受信ウィンドウサイズごとに送信確認を行って送信する送受信手段と、
使用する無線通信経路に基づいて、前記受信ウィンドウサイズを、前記端末装置の受信バッファのバッファサイズを超えない範囲で決定するウィンドウ変更手段と、
前記決定された受信ウィンドウサイズを前記端末装置に通知する変更結果通知手段と
を備えたことを特徴とするネットワーク装置。
【請求項７】
端末装置とサーバとの間で無線を介してデータの通信を行うデータ通信方法であって、
前記端末装置において、前記サーバから無線通信によりデータを受信して、当該受信したデータを受信バッファに格納する送受信ステップと、
使用する無線通信経路に基づいて、前記サーバから送信確認をせずに送信することができるデータ量である受信ウィンドウサイズを、前記受信バッファのバッファサイズを超えない範囲で変更するウィンドウ変更ステップと、
前記変更された受信ウィンドウサイズを前記サーバに通知する変更結果通知ステップと
を備えたことを特徴とするデータ通信方法。
【請求項８】
端末装置とサーバとの間で無線通信ネットワーク装置を介してデータの通信を行うデータ通信方法であって、
前記無線通信ネットワーク装置において、前記サーバから受信したデータを無線通信により端末装置に該端末装置の受信ウィンドウサイズごとに送信確認を行って送信する送受信ステップと、
使用する無線通信経路に基づいて、前記受信ウィンドウサイズを、前記端末装置の受信バッファのバッファサイズを超えない範囲で決定するウィンドウ変更ステップと、
前記決定された受信ウィンドウサイズを前記端末装置に通知する変更結果通知ステップと
を備えたことを特徴とするデータ通信方法。
【発明の詳細な説明】
【技術分野】
【０００１】
本発明は、端末装置、ネットワーク装置およびデータ通信方法に関し、特に携帯電話などの移動端末を用いてネットワークに接続されたサーバ等と通信を行う端末装置、ネットワーク装置およびデータ通信方法に関する。
【背景技術】
【０００２】
従来の第３世代移動通信システムでは、TCPパケットの転送を行う場合に、受信側から送信側への応答を待たずに送信側がデータを送信できるデータ容量を示す伝送制御ウィンドウサイズ（TCP Receive Window Size：TCP RWIN)の値は、通常移動局ごとに固定されることが多い。また、同様にパーソナルコンピュータ等の端末からダイアルアップを行ってサーバに接続する場合、TCPの終端となる端末に設定するTCP RWINの値は固定とされる場合が多い。TCP RWINの値としては、通常例えば最大無線ベアラを使用した速度に関して最適化したものを設定している。また移動通信システムの無線リンク制御伝送ウィンドウサイズ（RLC Transmission window size：RLC TWIN)の値、移動局の無線リンク制御受信ウィンドウサイズ（RLC Reception window size：RLC RWIN)の値も固定にされる場合が多い。
【０００３】
このように、単にウィンドウサイズを固定的に設定して変更しないシステムが通常である（例えば、特許文献１および２を参照）
【０００４】
【特許文献１】特開２００５−２０５５０号公報
【特許文献２】特開２００６−２１１０１５号公報
【発明の開示】
【発明が解決しようとする課題】
【０００５】
しかしながら、従来のTCPパケットの転送を行う場合、TCP RWINで定められる容量に達すると受信側は、データを容量分受信し終わったことを送信側に伝えるが、TCP RWINの値を大きくすると、処理遅延を含めた伝送遅延時間が大きい場合は連続でデータを転送できるため、TCPデータ帯域が高速になるが、TCP RWINが無線等の物理回線の伝送速度に比べて十分小さい場合、TCP RWINの制限により物理回線の伝送速度を最大限使用することができず、TCPデータ帯域は飽和して一定速度以上は出なくなる。また、データの受信で１個のTCPパケットでも受信に失敗した場合は、失敗したことを送信側にNACKで伝えた後、NACKとなったTCPパケット以降のTCP RWINのバッファ内の全データを再送しなければならず、TCP RWINが小さい場合に比べると余計にTCPパケットを再送する必要があり、再送にかかるオーバヘッドが大きくなる結果、スループットが低下することとなる。さらに、TCPパケットの課金が従量制の場合、TCP RWINが大きいことにより、余計なパケット再送分が課金され、ユーザに余分な料金がかかる。このように、従来技術によると通信チャネル、通信状態、転送データサイズに応じて、適切なTCP RWINを設定されることが無く全体としてスループットが低下したり、通信料金が不必要に加算されたりするという問題がある。
【０００６】
また、RLC RWINの値を大きくすると、処理遅延を含めた伝送遅延時間が大きい場合は連続でデータを転送できるため、RLCスループットが高速になるが、データの受信で１個のRLC PDUでも受信に失敗した場合は、失敗したことを送信側にNACKで伝えた後、NACKとなったRLC PDU以降のRLC RWINのバッファ内の全データを再送しなければならず、RLC RWINが小さい場合に比べると余計なTCPパケットの再送が必要とあって、再送にかかるオーバヘッドが大きくなる結果、スループットが低下し、余分な通信料金が発生するという問題がる。移動局が選択することで、通信速度を高速化させ、通信料金を抑えることが可能である。
【０００７】
本発明はこのような問題を解決するものであり、無線通信経路の種別や、通信状況にあわせて適切なTCP RWINあるいはRLC RWINを動的に設定することにより全体のスループットを向上させ、または無駄な再送を削減することができる端末装置、ネットワーク装置およびデータ通信方法を提供することを目的とする。
【課題を解決するための手段】
【０００８】
このような目的を達成するために、請求項１に記載の発明は、端末装置であって、受信したデータを格納する受信バッファと、サーバと無線通信によりデータの送受信を行う送受信手段と、使用する無線通信経路に基づいて、サーバから送信確認をせずに送信することができるデータ量である受信ウィンドウサイズを、受信バッファのバッファサイズを超えない範囲で変更するウィンドウ変更手段と、変更された受信ウィンドウサイズをサーバに通知する変更結果通知手段とを備えたことを特徴とする。
【０００９】
請求項２に記載の発明は、受信ウィンドウサイズは、請求項１に記載の端末装置において、無線通信経路の種別ごとに予め定められており、ウィンドウ変更手段は、無線通信経路に基づいて、予め定められた受信ウィンドウサイズを選択して変更することを特徴とする。
【００１０】
請求項３に記載の発明は、請求項２に記載の端末装置において、無線通信経路の種別は、無線ベアラ種別またはトランスポートチャネルのフォーマット種別であることを特徴とする。
【００１１】
請求項４に記載の発明は、請求項１に記載の端末装置において、無線通信経路の状態を取得する通信状態取得手段をさらに備え、ウィンドウ変更手段は、無線通信経路に基づいて、取得した無線通信経路の状態により受信ウィンドウサイズを選択して変更することを特徴とする。
【００１２】
請求項５に記載の発明は、請求項４に記載の端末装置において、無線通信経路の状態は、通信速度、メディアアクセス制御の伝送帯域幅、無線リンク制御の伝送帯域幅、受信信号強度、希望波受信強度、および希望波受信強度比のいずれかであることを特徴とする。
【００１３】
請求項６に記載の発明は、ネットワーク装置において、サーバから受信したデータを無線通信により端末装置に端末装置の受信ウィンドウサイズごとに送信確認を行って送信する送受信手段と、使用する無線通信経路に基づいて、受信ウィンドウサイズを、端末装置の受信バッファのバッファサイズを超えない範囲で決定するウィンドウ変更手段と、決定された受信ウィンドウサイズを端末装置に通知する変更結果通知手段とを備えたことを特徴とする。
【００１４】
請求項７に記載の発明は、端末装置とサーバとの間で無線を介してデータの通信を行うデータ通信方法であって、端末装置において、サーバから無線通信によりデータを受信して、受信したデータを受信バッファに格納する送受信ステップと、使用する無線通信経路に基づいて、サーバから送信確認をせずに送信することができるデータ量である受信ウィンドウサイズを、受信バッファのバッファサイズを超えない範囲で変更するウィンドウ変更ステップと、変更された受信ウィンドウサイズをサーバに通知する変更結果通知ステップとを備えたことを特徴とする。
【００１５】
請求項８に記載の発明は、端末装置とサーバとの間で無線通信ネットワーク装置を介してデータの通信を行うデータ通信方法であって、無線通信ネットワーク装置において、サーバから受信したデータを無線通信により端末装置に端末装置の受信ウィンドウサイズごとに送信確認を行って送信する送受信ステップと、使用する無線通信経路に基づいて、受信ウィンドウサイズを、端末装置の受信バッファのバッファサイズを超えない範囲で決定するウィンドウ変更ステップと、決定された受信ウィンドウサイズを端末装置に通知する変更結果通知ステップとを備えたことを特徴とする。
【発明の効果】
【００１６】
本発明によれば、使用する無線通信経路に基づいて、サーバから送信確認をせずに送信することができるデータ量である受信ウィンドウサイズを、受信バッファのバッファサイズを超えない範囲で変更するウィンドウ変更手段と、変更された受信ウィンドウサイズをサーバに通知する変更結果通知手段とを備えているので、全体のスループットを向上させ、または無駄な再送を削減することが可能となる。
【発明を実施するための最良の形態】
【００１７】
以下、図面を参照して本発明の実施の形態について詳しく説明する。
（第１実施形態）
図１は、本願発明の一実施形態におけるネットワーク構成を示す図である。図1のように無線移動局１０１〜１０３は、無線リンク（基地局１０〜４０）を介して無線制御装置１００、２００およびパケットサービスノードや移動先位置登録装置／交換装置２００〜２０４などに接続され移動通信システム内またはインターネット上のサーバ１２０と通信を行っている。本実施形態では、基地局１００、２００からインターネットにいたる経路に図１に示す各システム、装置が配置され、種々の処理が行われるように機能するが、本願発明を実施するためにはこれに限られること無く、本実施形態で知られた種々のシステムで構成することができる。また、図１に示すような各構成要素の機能を別の構成要素に実装したり、図１とは異なる機能を実装させて各構成要素を割当てたりすることもできる。したがって、本願発明のネットワーク装置は基地局からゲートウェイまでのいずれかの装置、システムに実装することができる。
【００１８】
さらに、図１を参照すると端末１０４が無線モジュール１０３を接続した形態で無線通信を行うことが理解できるが、端末１０４はノートパソコンなど移動可能ないずれかのコンピュータとすることができる。また、無線モジュール１０３は、無線通信カードのような機器を使用することができるが、これに限られず携帯電話や携帯端末の無線通信機能のみを端末１０４に提供可能なものであればいずれのものも使用することができる。この場合、端末１０１、１０２と、モジュール１０３を接続した端末１０４とはサーバ１２０から見ると全く同じ処理が行われ、以下の本実施形態の処理もほぼ同様であり基本的に処理は端末１０４側で行われるが、主に無線に関する処理を中心に実装される無線モジュール１０３がこのような処理の一部を実行するときは、受信バッファを内蔵することもある。一方、このようなときも含め端末１０４側のメモリを種々のバッファとして使用することもできる。
【００１９】
本システムの全体の構成は以上のようなものであるが、本実施形態の個別のシステムを構成する端末、ネットワーク装置、サーバは少なくともネットワークに接続可能な通常のコンピュータの機能を有している必要がある。このようなハードウェアの条件の下、本実施形態の個別のシステムの処理の実行はソフトウェアプログラムがこのようなハードウェアにインストールされて行われる。各ソフトウェアは例えば図２および図３に示すようなモジュール構成で示すことができるが、これは単なる例示であり、各モジュールの機能をさらにいくつかのモジュールで分担したり、いくつかのモジュールの機能を統合したモジュールを想定したりすることができるのはいうまでもない。以下に、各個別システムのモジュール構成を説明するが、これらのモジュールが相互に連携を取って実行され、後述する本実施形態の処理が達成されるのである。
【００２０】
図２は、本実施形態の端末装置１０１のモジュール構成を示す図である。端末装置１０１は、サーバと無線通信によりデータの送受信を行う送受信部２１０、受信ウィンドウサイズであるTCP RWINを適切な値に変更するウィンドウ変更部２２０、変更された受信ウィンドウサイズをサーバに通知する変更結果通知部２３０および受信したデータを格納する受信バッファを備えている。
【００２１】
図３は、本実施形態の移動通信システムのモジュール構成を示す図である。ネットワーク装置である移動通信システムは、例えば無線制御装置１００とすることもでき、その他の装置、機器と組み合わせたりすることもできるが、サーバから受信したデータを無線通信により端末装置に送信するネットワーク送受信部３０１、適切な受信ウィンドウサイズを決定するネットワークウィンドウ変更部３０２および決定された受信ウィンドウサイズを端末装置に通知するネットワーク変更結果通知部３０３を備える。
【００２２】
本実施形態では、TCPのデータ帯域と受信ウィンドウサイズである伝送制御ウィンドウサイズの値TCP RWIN、TCPの往復遅延時間の関係は以下のとおりである。
[データ帯域(bit/s)] ＝ [TCP RWIN(bit)]/[往復遅延時間(sec)]又は
[TCP RWIN(bit)] ＝ [データ帯域(bit/s)] [往復遅延時間(sec)]
したがって、往復遅延時間を200msecとした場合、例えば64KbpsのTCPデータ帯域を満たす場合TCP RWINは1.6KByteとする必要があり、384KbpsのTCPデータ帯域を満たす場合TCP RWINは9.6KByteとなる。3.6MbpsのTCPデータ帯域を満たす場合TCP RWINは90KByteとなり、7.2MbpsのTCPデータ帯域を満たす場合TCP RWINは180KByteとなる。
【００２３】
一方、移動局１０１〜１０３は無線リンクで使用する無線ベアラの種別、トランスポートチャネルのフォーマットに応じてTCP RWINサイズを変更することもできる。例えば384Kbpsのチャネルから3.6Mbpsのチャネルに変更する場合、TCP RWINを9.6Kbyteから90Kbyteへ変更する。64Kbpsの個別チャネルから384Kbpsの個別チャネルに変更する場合には、TCP RWINを1.6KByteから9.6KByteへ変更する。384Kbpsのトランスポートチャネルフォーマットから64Kbpsのトランスポートチャネルフォーマットに変更する場合は、TCP RWINを9.6KByteから1.6KByteへ変更する。TCP RWINの変更を適宜行うことも可能だが、最初に設定される無線ベアラの種別、トランスポートチャネルのフォーマットに対して１回だけ移動局１０１〜１０３で保持する複数のTCP RWINの中から1つを選ぶことも可能である。
【００２４】
図４に本実施形態の処理のフローチャートを、図６に本実施形態のシステムのシーケンスを示す。まず、移動局１０１と移動通信システム、例えば無線制御装置１００との間で無線ベアラが確立されると(Ｓ４０１)、予め用意された複数のTCP RWINから、無線ベアラの種類またはトランスポートチャネルの種別に応じて適切なTCP RWINを選択して、移動局１０１に設定する（Ｓ４０２）。その後、移動局１０１と移動通信システムとの間で無線ベアラの変更があると（Ｓ４０３）、さらに無線ベアラの種類またはトランスポートチャネルの種別に応じて適切なTCP RWINを選択して、移動局１０１に設定する（Ｓ４０４）。
【００２５】
ここで、無線ベアラの種別、トランスポートチャネルのフォーマットによらず、メディアアクセス制御(MAC：Medium Access Control)、無線リンク制御(RLC：Radio Link Control)の伝送帯域幅またはスループットをTCP RWIN変更の基準とし、MAC、RLCの伝送帯域幅またはスループットが64Kbps以下の時はTCP RWINを1.6Kbyteとし、64Kbpsから384Kbpsの時はTCP RWINは9.6Kbyte、384Kbpsから3.6Mbpsの時はTCP RWINは90KByte、3.6Mbps以上の時はTCP RWINは180Kbyteとなるよう、移動局１０１が適宜選択することも可能である。
【００２６】
無線通信状態により移動局での受信信号強度(RSSI：Received Signal Strength Indicator)、希望波受信電力(CPICH RSCP：Received Signal Code Power)、最勢力局の受信電力と全受信電力との比である希望波受信電力比Ec/Noをウィンドウサイズ変更の基準として、移動局がTCP RWINを適宜変更することも可能である。図５に本実施形態のこのような処理例のフローチャートを、図７に本実施形態のシステムのシーケンス示す。すなわち、移動局１０１と移動通信システムとの間で無線ベアラが確立されると(Ｓ５０１)、予め移動局１０１のRSSI、CPICH RSCP、Ec/No、またはMAC、RLCの伝送帯域幅やスループットに応じてTCP RWINを複数用意しておき、この複数のTCP RWINから、適切なTCP RWINを選択して、移動局１０１に設定する（Ｓ５０２）。
【００２７】
このようにして、TCP RWINが設定されると、移動局はそのサイズの受信バッファを用意しておき、このウィンドウサイズまで受信するごとに移動通信システムに受信したことを確認する送信確認メッセージを送信し、移動通信システムは、移動局にデータを送信する際、新たに設定された受信ウィンドウサイズRLC RWINのデータを送信すると送信確認を受信するまで送信をとめるよう制御される。本実施形態では、このような制御により受信ウィンドウサイズの管理、活用を行うが、これに限られることなく、本願発明により適切なウィンドウサイズが選択あるいは計算等されると本技術分野で知られた方法で無線データ通信を行うことができる。
【００２８】
（第２実施形態）
本実施形態では、移動通信システムにおける移動局の無線リンク制御受信ウィンドウサイズ（RLC Reception window size：RLC RWIN)の値を、通信経路に基づいて適切な値に設定するものであり、システム構成は基本的に上述の第１実施形態と同様である。ただし、本実施形態では無線リンク制御における処理であるため、適切なRLC RWINを選択し設定する処理はネットワーク装置である無線制御装置などにより実行されることとなる。
【００２９】
本実施形態では、RLCのデータ帯域と受信ウィンドウサイズである受信ウィンドウサイズの値RLC RWIN、RLCの往復遅延時間の関係は以下のとおりである。
[データ帯域(bit/s)] ＝ [RLC RWIN(bit)]/[往復遅延時間(sec)]又は
[RLC RWIN(bit)] ＝ [データ帯域(bit/s)] [往復遅延時間(sec)]
【００３０】
往復遅延時間を200msecとした場合、例えば64KbpsのRLCデータ帯域を満たす場合RLC RWINは1.6KByteとする必要があり、384KbpsのRLCデータ帯域を満たす場合RLC RWINは9.6KByteとなる。3.6MbpsのRLCデータ帯域を満たす場合RLC RWINは90KByteとなり、7.2MbpsのRLCデータ帯域を満たす場合RLC RWINは180KByteとなる。
【００３１】
一方、移動局１０１〜１０３は無線リンクで使用する無線ベアラの種別、トランスポートチャネルのフォーマットに応じてRLC RWINサイズを変更することもできる。例えば384Kbpsのチャネルから3.6Mbpsのチャネルに変更する場合、RLC RWINを9.6Kbyteから90Kbyteへ変更する。64Kbpsの個別チャネルから384Kbpsの個別チャネルに変更する場合には、RLC RWINを1.6KByteから9.6KByteへ変更する。384Kbpsのトランスポートチャネルフォーマットから64Kbpsのトランスポートチャネルフォーマットに変更する場合は、RLC RWINを9.6KByteから1.6KByteへ変更する。RLC RWINの変更を適宜行うことも可能だが、最初に設定される無線ベアラの種別、トランスポートチャネルのフォーマットに対して、１回だけ保持されている複数のRLC RWINの中から1つを選ぶことも可能である。
【００３２】
図８に本実施形態の処理のフローチャートを、図１０に本実施形態の処理のシーケンスを示す。まず、移動局１０１と移動通信システム１００との間で無線ベアラが確立されると(Ｓ８０１)、予め用意された複数のRLC RWINから、無線ベアラの種類またはトランスポートチャネルの種別に応じて適切なRLC RWINを選択して、移動通信システム、例えば無線制御装置１００が設定する（Ｓ８０２）。その後、移動局１０１と移動通信システム１００との間で無線ベアラの変更があると（Ｓ８０３）、さらに無線ベアラの種類またはトランスポートチャネルの種別に応じて適切なRLC RWINを選択して、移動通信システムに設定する（Ｓ８０４）。
【００３３】
ここで、無線ベアラの種別、トランスポートチャネルのフォーマットによらず、メディアアクセス制御(MAC：Medium Access Control)、無線リンク制御(RLC：Radio Link Control)の伝送帯域幅またはスループットをRLC RWIN変更の基準とし、MAC、RLCの伝送帯域幅またはスループットが64Kbps以下の時はRLC RWINを1.6Kbyteとし、64Kbpsから384Kbpsの時はRLC RWINは9.6Kbyte、384Kbpsから3.6Mbpsの時はRLC RWINは90KByte、3.6Mbps以上の時はRLC RWINは180Kbyteとなるよう、移動通信システムが適宜選択することも可能である。
【００３４】
無線通信状態により移動局から報告される下りの受信信号強度(RSSI：Received Signal Strength Indicator)、希望波受信電力(CPICH RSCP：Received Signal Code Power)、希望波受信電力比Ec/Noをウィンドウサイズ変更の基準として、移動通信システムがRLC RWINを適宜変更することも可能である。図９に本実施形態のこのような処理例のフローチャートを、図１１に本実施形態の処理例のシーケンス示す。すなわち、移動局１０１と移動通信システム１００との間で無線ベアラが確立されると(Ｓ９０１)、予め移動局１０１〜報告されている、RSSI、CPICH RSCP、Ec/No、またはMAC、RLCの伝送帯域幅やスループットに応じてRLC RWINを複数用意しておき、この複数のRLC RWINから、適切なRLC RWINを選択して、移動通信システムに設定する（Ｓ９０２）。その後、設定された受信ウィンドウサイズRLC RWINを移動局１０１等に送信する（Ｓ９０３）。
【００３５】
RLC RWINを受け取った移動局はそのサイズの受信バッファを用意しておき、このウィンドウサイズまで受信するごとに移動通信システムに受信したことを確認する送信確認メッセージを送信し、移動通信システムは、移動局にデータを送信する際、新たに設定された受信ウィンドウサイズRLC RWINのデータを送信すると送信確認を受信するまで送信をとめるよう制御される。
【図面の簡単な説明】
【００３６】
【図１】本願発明の一実施形態におけるネットワーク構成を示す図である。
【図２】本実施形態の端末装置のモジュール構成を示す図である。
【図３】実施形態の移動通信システムのモジュール構成を示す図である。
【図４】本実施形態の処理のフローチャートを示す図である。
【図５】本実施形態の処理の別の例のフローチャートを示す図である。
【図６】本実施形態のシステムのシーケンスを示す図である。
【図７】本実施形態のシステムの別の例のシーケンスを示す図である。
【図８】本実施形態の処理のフローチャートを示す図である。
【図９】本実施形態の処理の別の例のフローチャートを示す図である。
【図１０】本実施形態のシステムのシーケンスを示す図である。
【図１１】本実施形態のシステムの別の例のシーケンスを示す図である。
【符号の説明】
【００３７】
１０、２０、３０、４０  基地局
１０１、１０２  無線端末
１０３  無線モジュール
１０４  端末
１００、２００  無線制御装置
１１０  ゲートウェイ
１２０  サーバ
２０１、２０３  位置登録／交換装置
２０２、２０４  パケットサービスノード
２１０  送受信部
２２０  ウィンドウ変更部
２３０  変更結果通知部
２４０  送受信バッファ
３０１  ネットワーク送受信部
３０２  ネットワークウィンドウ変更部
３０３  ネットワーク変更結果通知部
【図１】
2008289080.tif 000003
【図２】
2008289080.tif 000004
【図３】
2008289080.tif 000005
【図４】
2008289080.tif 000006
【図５】
2008289080.tif 000007
【図６】
2008289080.tif 000008
【図７】
2008289080.tif 000009
【図８】
2008289080.tif 000010
【図９】
2008289080.tif 000011
【図１０】
2008289080.tif 000012
【図１１】
2008289080.tif 000013